(57)【要約】【課題】ブラウザホンにおけるネットサーフィンを継続させることができるデータ中継装置を提供する【解決手段】ブラウザホンと通信するとともに検索エンジンとも連携するＷＷＷサーバー機能を備え、ブラウザホンから指定ＵＲＬを取得する手段と、指定ＵＲＬに該当する指定ウエブページを取得する手段と、指定ウエブページのリンク設定を指定ＵＲＬに書き換える手段と、ブラウザホンから取得したキーワードを検索エンジンに与える手段と、検索エンジンからの検索結果としてレコード一覧を取得する手段と、レコード一覧や指定ウエブページに相当する画面情報とキーワードの入力欄と当該入力欄に入力されたキーワードを検索エンジンへクエリーとして与えるための機能とを含んだ検索機能付きウエブページを作成する手段と、検索機能付きウエブページの作成契機としてアクセスしてきたブラウザホンに当該検索機能付きウエブページを送付する手段とを備えている。【選択図】    図２
2005182590.tif 000002
【特許請求の範囲】
【請求項１】
ブラウザホンと通信するとともに検索エンジンとも連携するＷＷＷサーバー機能を備えたコンピュータにより構成され、このコンピュータが、
ブラウザホンから送付されてくるＵＲＬ（指定ＵＲＬとする）を取得する手段と、
指定ＵＲＬに該当するウエブページ（指定ウエブページ）を取得する手段と、
指定ウエブページにリンク設定されているＵＲＬを指定ＵＲＬに書き換える手段と、
ブラウザホンから検索キーワードを含んだ指定ＵＲＬが送付されてくると、当該キーワードを検索エンジンにクエリーとして与える手段と、
検索エンジンから送付されてくる前記クエリーに対する検索結果レポートを取得する手段と、
指定ウエブページ画面、検索結果レポート画面に、検索キーワード入力欄と検索エンジンへのクエリー発行のためのフォーム機能とを付加したウエブページ（検索機能付きウエブページ）を作成してブラウザホンに送付する手段と、
を備えたことを特徴とするデータ中継転送装置。
【請求項２】
キーワード集を記憶する手段を備え、前記検索キーワード入力欄に当該キーワード集から適宜に選択したキーワードを入力した上で前記検索機能付きウエブページをブラウザホンに送付することを特徴とする請求項１に記載のデータ中継転送装置。
【請求項３】
前記レコード集から複数のキーワードを適宜に選択するとともに、前記検索機能付きウエブページには、当該複数のキーワードから１つのキーワードをブラウザホンにて選択可能にする機能と、ブラウザホンにて選択されたキーワードを検索キーワード入力欄に入力するための機能とを含ませることを特徴とする請求項２に記載のデータ中継装置。
【請求項４】
検索エンジンから検索結果レポートを受け取ると当該レポートに含まれる複数のレコードから１つのレコードを選出する手段を備え、前記検索機能付きウエブページに、当該選出したレコードの指定ＵＲＬをブラウザホンに送付させるための画像要素を含ませることを特徴とする請求項１〜３のいずれかに記載のデータ中継転送装置。
【請求項５】
指定ウエブページを取得する際、当該ページを管理するＷＷＷサーバーよりそのページを送付できない旨の通知を受け取ると、当該指定ウエブページを取り寄せるためのリダイレクト応答電文をブラウザホンに送付することを特徴とする請求項１〜４のいずれかに記載のデータ中継転送装置。
【請求項６】
情報通信ネットワークを介してデータ通信するＷＷＷサーバー機能を備えたコンピュータに
ブラウザホンから送付されてくるＵＲＬ（指定ＵＲＬとする）を取得する処理と、
指定ＵＲＬに該当するウエブページ（指定ウエブページ）を取得する処理と、
指定ウエブページにリンク設定されているＵＲＬを指定ＵＲＬに書き換える処理と、
ブラウザホンから検索キーワードを含んだ指定ＵＲＬが送付されてくると、当該キーワードを検索エンジンにクエリーとして与える処理と、
検索エンジンから送付されてくる前記クエリーに対する検索結果レポートを取得する処理と、
指定ウエブページ画面、検索結果レポート画面に、検索キーワード入力欄と検索エンジンへのクエリー発行のためのフォーム機能とを付加したウエブページ（検索機能付きウエブページ）を作成してブラウザホンに送付する処理と、
を実行させることを特徴とするコンピュータプログラム。
【請求項７】
請求項６に記載のコンピュータプログラムを格納したコンピュータ読取可能な記録媒体。
【発明の詳細な説明】
【技術分野】
【０００１】
この発明は、ブラウザを実装した携帯電話機やＰＨＳ端末（ブラウザホン）がウエブページを取り寄せる経路に介在し、ウエブページをブラウザホンに代わって取り寄せてブラウザホンに転送するデータ中継転送装置に関する。
【背景技術】
【０００２】
データ中継転送装置は、ブラウザホンに代わって取り寄せたウエブページを転送する過程で何らかのサービスをブラウザホンの利用者に提供している。例えば出願人は、ブラウザホンを使用したインターネット通信において、移動体通信事業者の多くが、その通信費を実際に送受信したデータ量に応じて請求するデータ量従量課金制を採用していることに着目し、データ中継転送装置として、特許第３４１６６４７号（特許文献１）に記載のコンテンツ中継サービス装置を開発した。そして、このサービス装置により、ブラウザホンが指定するＵＲＬに該当するウエブページをインターネットから取り寄せるとともに、そのウエブページのデータ量を削減してブラウザホンに中継転送するサービス（パケット削減サービス）を実施している。
【０００３】
現在実施中のパケット削減サービスは、概ね次の手順で提供される。まず、ブラウザホンがインターネット上に公開されているウエブページ（指定ウエブページ）のＵＲＬ（指定ＵＲＬ）をコンテンツ中継サービス装置に送信する。コンテンツ中継サービス装置は、指定ＵＲＬに基づいて指定ウエブページの画面情報を取り寄せて取得する。コンテンツ中継サービス装置は、取得した指定ウエブページの画面情報から冗長構造を省略したり不要な情報（例えば、音声データ・画像データなど）を削除したりしてデータ量を削減した画面情報を生成し、このデータ量削減後の画面情報をブラウザホンに転送する。
【０００４】
ブラウザホンは、送達された画面情報を解釈して指定ウエブページの画面を再現する。なお、コンテンツ中継サービス装置は、指定ウエブページ中に設定されているハイパーリンク（以下、リンク）をすべて当該サービス装置経由で取り寄せるように設定し直す。それによって、指定ウエブページ中のリンクを指示すると、リンク先のウエブコンテンツがコンテンツ転送サービス装置を経由してブラウザホンに送達する。そのため、最初にコンテンツ転送サービス装置へ指定ＵＲＬを送付してデータ量が削減された指定ウエブページの画面情報を受け取れば、以後のネットサーフィンはこのコンテンツ中継転送装置を経由して行われることになる。
【０００５】
なお、このパケット削減サービスでは、広告収入によるビジネスモデルを成立させている。具体的には、指定ウエブページに該当する画面情報に、広告文や広告画像などの広告情報を加えるとともに、広告情報にはその広告についての詳細情報が記載されているウエブページなど、広告主が意図するリンク先を対応付けしておく。そして、この広告情報を付加したウエブページをブラウザホンに送付する。もちろん、広告に関する情報を挿入することによるデータ量の増加に比べ、指定ウエブページから削減可能なデータ量の方が遙かに大きいため、十分に通信料金を節約することができる。
【０００６】
ところで、ブラウザホンにおけるウエブページの閲覧目的や画面遷移状況（ネットサーフィンの経路）、ブラウザの操作環境は、ブラウザを実装したパーソナルコンピュータなど（以下、ＰＣ）のそれらとは大きく異なる。一般に、ＰＣにおけるウエブページの閲覧目的は、所望する情報を取得することであり、利用者は、いかに短時間で所望する情報が掲載されているウエブページに到達できるかを重要視している。そのため、ウエブページのリンクを辿って多くのウエブページを渡り歩く「ネットサーフィン」の経路にある程度指向性を有している。すなわち、ＰＣにおいては、上述したように所望の情報を検索する目的でネットサーフィンを行う場合が多いので、そのサーフィンの出発点となるリンク元にある情報とリンク先にある情報とが互いに関連していることが多い。もちろんリンク先のさらにリンク先でも同様に関連性が高いと言える。なお、ネットサーフィンの起点となるウエブページ（サーフィン起点ページ）は、検索サイトのホームページである場合が多い。
【０００７】
さらに、ＰＣにおけるネットサーフィン中のブラウザ操作環境も所望の情報へ素早くアクセスできる用途に適している。例えば、ＰＣのマルチタスク機能により、ネットサーフィン用に次々と画面遷移させていくブラウザ画面と検索サイトのウエブページの画面とを１つのディスプレイに個別のウインドウ画面で同時表示させておくことができる。それによって、ネットサーフィンの途中で目的のウエブページにたどり着けないと判断したならば、別のウインドウ画面で表示中の検索サイトのウエブページを操作対象にして、再度キーワードを検索エンジンに与えて別経路のネットサーフィンの起点を探すことができる。
【０００８】
一方、ブラウザホンにおけるウエブページの閲覧目的は、待ち合わせや電車やバスの待ち時間などの余った時間に、特に希望する情報もなくただリンクを辿って多くのウエブページから雑多な情報を収集することにある場合が多い。したがって、ブラウザホンにおけるネットサーフィンではそのリンクを辿る経路に指向性があまり無い。すなわち、リンク元にある情報とリンク先にある情報との関連性が低い。
【０００９】
ブラウザホンにおけるネットサーフィンでは、例えば、まず、ブラウザホンにブックマーク登録されているＵＲＬを指定してネットサーフィンの起点となるウエブページを取り寄せる。あるいはブラウザホンの移動体通信業者によって用意されたメニューページ（ウエブサイトをカテゴリ別に検索するためのブラウザホン専用のウエブページ：例えば、ｉモード（登録商標）における「ｉ ｍｅｎｕ」など）を取り寄せる。そして、これら起点となるウエブページ中からそのときの興味や気分などに応じて適当なでリンクを指示して別のウエブページを取り寄せる。このようにしてリンク先の適当なリンクを指示して多種多様なウエブページを次々と取り寄せて閲覧していく。一回のネットサーフィン機会に飽きれば、再度別のネットサーフィンの起点となるウエブページを取り寄せる。
【発明の開示】
【発明が解決しようとする課題】
【００１０】
しかしながら、ブラウザホンにおいて、ブックマークなどに基づく起点のウエブページやそのウエブページに設定されているリンクには限りがあるし、そのウエブページを起点としたネットサーフィンでは、自ずとそのリンクを辿る経路が決まってくる。これでは、利用者が余った時間を雑多な情報収集に当てるブラウザホン特有のネットサーフィン自体の魅力が薄くなる。また、ブラウザホンではマルチタスク機能が実現されていないため、ネットサーフィン用の画面とブックマークを選択するための画面とを同時表示することができず、再度起点を選択しようと思えば、ブラウザを一旦終了させてブックマークを選択するための画面やＵＲＬを直接入力するための画面を呼び出すための面倒な操作が必要となる。例え、マルチタスク機能が実現されたとしても、ブラウザホンのディスプレイは大きくても対角２．５インチ程度であり、複数のブラウザ画面を切り替えながらネットサーフィンをするにはあまりにも小さく、ウエブページ自体が見づらくなることは予想に難くない。
【００１１】
なお、ブラウザホンにおけるネットサーフィンが利用者にとって飽きられてしまうことは、広告収入によるビジネスモデルによって収益を上げているコンテンツ中継サービス業者にとっても死活問題となる。すなわち、ブラウザホン利用者には、可能な限りネットサーフィンを継続してもらい、広告の閲覧実績やその広告に対するリンク指定実績（クリック実績）を上げたいという要望があるからである。しかし、上述した理由からブラウザホンにおけるネットサーフィン自体に魅力が無くなれば、ビジネスモデル自体が成立しにくくなる。
【課題を解決するための手段】
【００１２】
上記課題に鑑み本発明を創作した。本発明の目的は、ブラウザホンにおけるネットサーフィンを継続させることができるデータ中継装置を提供することにあり、その基本となる発明は、ブラウザホンと通信するとともに検索エンジンとも連携するＷＷＷサーバー機能を備えたコンピュータにより構成され、このコンピュータが、
ブラウザホンから送付されてくるＵＲＬ（指定ＵＲＬとする）を取得する手段と、
指定ＵＲＬに該当するウエブページ（指定ウエブページ）を取得する手段と、
指定ウエブページにリンク設定されているＵＲＬを指定ＵＲＬに書き換える手段と、
ブラウザホンから検索キーワードを含んだ指定ＵＲＬが送付されてくると、当該キーワードを検索エンジンにクエリーとして与える手段と、
検索エンジンから送付されてくる前記クエリーに対する検索結果レポートを取得する手段と、
指定ウエブページ画面、検索結果レポート画面に、検索キーワード入力欄と検索エンジンへのクエリー発行のためのフォーム機能とを付加したウエブページ（検索機能付きウエブページ）を作成してブラウザホンに送付する手段と、
を備えたデータ中継転送装置としている。
【００１３】
上記構成のデータ中継転送装置において、キーワード集を記憶する手段を備え、前記検索キーワード入力欄に当該キーワード集から適宜に選択したキーワードを入力した上で前記検索機能付きウエブページをブラウザホンに送付するデータ中継転送装置こととしてもよい。なお、前記レコード集から複数のキーワードを適宜に選択するとともに、前記検索機能付きウエブページには、当該複数のキーワードから１つのキーワードをブラウザホンにて選択可能にする機能と、ブラウザホンにて選択されたキーワードを検索キーワード入力欄に入力するための機能とを含ませることとしてもよい。
【００１４】
上記いずれかのデータ中継転送装置において、検索エンジンから検索結果レポートを受け取ると当該レポートに含まれる複数のレコードから１つのレコードを選出する手段を備え、前記検索機能付きウエブページに、当該選出したレコードの指定ＵＲＬをブラウザホンに送付させるための画像要素を含ませるように構成することもできる。
【００１５】
ブラウザホン専用に指定ウエブページを取得する際、当該ページを管理するＷＷＷサーバーよりそのページが送達できない旨の通知を受け取ると、当該指定ウエブページを取り寄せるためのリダイレクト応答電文をブラウザホンに送付するデータ中継転送装置とすることもできる。
【００１６】
本発明は、コンピュータを上記データ中継転送装置として機能させるためのプログラムにも及んでおり、コンピュータプログラムは、情報通信ネットワークを介してデータ通信するＷＷＷサーバー機能を備えたコンピュータに、
ブラウザホンから送付されてくるＵＲＬ（指定ＵＲＬとする）を取得する処理と、
指定ＵＲＬに該当するウエブページ（指定ウエブページ）を取得する処理と、
指定ウエブページにリンク設定されているＵＲＬを指定ＵＲＬに書き換える処理と、
ブラウザホンから検索キーワードを含んだ指定ＵＲＬが送付されてくると、当該キーワードを検索エンジンにクエリーとして与える処理と、
検索エンジンから送付されてくる前記クエリーに対する検索結果レポートを取得する処理と、
指定ウエブページ画面、検索結果レポート画面に、検索キーワード入力欄と検索エンジンへのクエリー発行のためのフォーム機能とを付加したウエブページ（検索機能付きウエブページ）を作成してブラウザホンに送付する処理と、
を実行させることとしている。  
また、このコンピュータプログラムを格納したコンピュータ読取可能な記録媒体も本発明の範囲としている。
【発明の効果】
【００１７】
本発明のデータ中継転送装置によれば、ブラウザホンに送達するウエブページにキーワード検索機能を付加することができる。それによって、リンクを目的もなく辿る従来のブラウザホンにおけるネットサーフィン形態において、利用者がそのネットサーフィンに飽きたとしても、一旦ブラウザを終了することなくキーワードを検索エンジンに与えて、あらたなネットサーフィンへの糸口を提供することができる。したがって利用者は、雑多な情報収集への意欲が減退することなく、ネットサーフィンを継続させることができ、余った時間を有効に使える。
【発明を実施するための最良の形態】
【００１８】
＝＝＝ネットワーク構成＝＝＝
図１に本発明の実施例におけるデータ中継転送装置を含むネットワーク構成を示した。インターネット１に、データ中継転送装置１０、検索エンジン２０、ＷＷＷサーバー３０、不特定多数のユーザが使用するパーソナルコンピュータ４０などのブラウザ搭載端末が接続されている。またブラウザホン５０が、自身が加入している移動体通信事業者の移動体通信網６０にエアインターフェースを介して無線基地局６１と接続し、さらに、それぞれの事業者が管理・運営するゲートウエイサーバー６２を介してインターネット１に接続している。
【００１９】
＝＝＝データ中継転送装置＝＝＝
本実施例のデータ中継転送装置１０は、ブラウザホン５０を対象として前述のパケット削減サービスを提供するとともに、ブラウザホン５０に代わって取り寄せた指定ウエブページに検索エンジンへキーワードを送付できる機能を付加する検索機能連携サービスを提供している。それにより、データ量が削減された指定ウエブページの画面情報と検索機能とが付加されたウエブページ（検索機能付きウエブページ）がブラウザホン５０に送達される。データ中継転送装置１０は、ＷＷＷサーバーとしての基本機能を備えるとともに、インターネット１を介して所定の検索エンジン２０にアクセスし、適宜なキーワードをその検索エンジン２０にクエリーとして与えてその検索結果レポートを取り寄せる機能も備えている。
【００２０】
周知の通り、検索エンジン２０は、ＷＷＷサーバー機能を備えたコンピュータシステムであり、インターネット１上にある膨大な情報について、その内容や所在など、利用者が最終的に入手したい情報への手がかりとなる情報（レコード）を付帯するデータベース（レコードデータベース）２１に蓄積管理している。そして、検索サイトをインターネット１上に公開し、このサイトにアクセスしてきたブラウザからキーワードを受け付けると、このキーワードをクエリーとしてレコードデータベース２１に照会し、該当するレコードを一覧にした検索結果レポートをウエブページの体裁にして返送する。レコードの内容としては、情報源の所在（ＵＲＬ）から入手できる全情報である場合もあるし、全情報の要約や抜粋情報である場合もある。利用者は検索結果として提示されたレコード一覧から入手希望の情報についての内容が記載されている（と思われる）レコードを見いだし、そのレコードに付されたＵＲＬをブラウザによって指定し目的とする情報を入手する。
【００２１】
本実施例では、データ中継転送装置１０は、検索エンジン２０にキーワードを送付して検索指示を与えるためのＵＲＬを記憶しており、適宜なキーワードをそのＵＲＬに基づいてインターネット１上に送出し、検索エンジン２０から検索結果レポートが返送されてくると、それを取得する。なお、このようにデータ中継転送装置１０が外部の検索エンジン２０にデータベース検索を依頼する構成とせず、レコードデータベース２１に直接アクセスして該当するレコードを取得し、検索結果レポートを作成してもよい。もちろん、データ中継転送装置１０は、レコードデータベースを付帯して検索エンジンとしても機能するように構成されていてもよい。
【００２２】
また、本実施例のデータ中継転送装置１０は、ブラウザホン５０が要求した指定ウエブページに広告コンテンツを付加する機能も備え、多数の広告コンテンツを付帯する広告データベース１１に蓄積管理している。広告データベース１１は、多数の広告文のテキストデータを蓄積し、各広告文にそれぞれリンク先を対応付けして管理している。リンク先としては広告文の掲載依頼をした広告主のホームページなど、広告に関わる詳細情報が得られるウエブページなどのＵＲＬを対応付けしておけばよい。
【００２３】
＝＝＝検索機能連携サービス＝＝＝
利用者が検索機能連携サービスの提供を受けるためには、データ中継転送装置１０経由で指定ウエブページを取り寄せる必要がある。そのためには、まず、データ中継転送装置１０を経由してネットサーフィンを始めるための起点となるウエブページ（サーフィン起点ページ）を取り寄せる必要がある。サーフィン起点ページは、データ中継転送装置１０が公開しているウエブページであってもよいが、この場合、利用者は、サーフィン起点ページのＵＲＬを何らかの方法で前もって知っておく必要がある。
【００２４】
ここでは、利用者が特定のサーフィン起点ページのＵＲＬを知らなくても検索機能連携サービスが受けられる例を示す。まず、データ中継転送装置１０の管理運営者（以下、サービス提供者）が、インターネット１上の不特定多数のＷＷＷサーバー３０により公開されている不特定多数のウエブページに、キーワードの入力欄とその入力欄に入力されたキーワードをデータ中継転送装置１０経由で検索エンジン２０に送付するための機能とを付加してもらうように、各ウエブページの管理者に依頼し、ウエブページ管理者がこの依頼に応じて、自身が管理するウエブページに前記各機能を付加すれば、そのウエブページがデータ中継転送装置１０によるパケット削減サービスと検索機能連携サービスへの窓口となる。すなわち、この窓口のウエブページがサーフィン起点ページとなる。具体的には、先の機能を実現するためのＨＴＭＬタグを記載したテキストデータをウエブページ管理者に配布し、ウエブページ管理者はその配布されたタグを自身のウエブページの適当な場所に記載しておく。あるいは、ＨＴＭＬタグタグの記載対象となるウエブページを指定し、そのウエブページにＨＴＭＬタグを自動的に記載するプログラム（ＣＧＩなど）を所定のＷＷＷサーバーなどに公開しておいてもよい。なお、サーフィン起点ページには、キーワード入力欄にキーワードを入力して検索指示を与えることでデータ中継転送装置１０が提供する各種サービスが受けられる旨のメッセージ文を記載しておけばより好ましい。もちろん、データ中継転送装置１０のＷＷＷサーバー機能によって公開されているウエブサイトにも検索機能を含んだサーフィン起点ページがある。
【００２５】
図２にブラウザホン５０に検索機能ウエブページが送達されるまでの経路を示した。また、図３に検索機能連携サービスの提供過程でブラウザホン５０に送達されるウエブページの画面遷移を示した。ここで、あるＷＷＷサーバー３０が公開しているサーフィン起点ページ（図３Ａ：１００）が、あるブラウザホン５０によって取り寄せられたものとする（ｓ１，ｓ２）。このサーフィン起点ページ１００には、キーワード入力欄１０１とそこに入力したキーワードをデータ中継転送装置経由で検索エンジンに与えるための指示を受け付けるための「検索」ボタン１０２とが含まれている。そして、利用者が自身のブラウザホン５０により、このサーフィン起点ページ１００中のキーワード入力欄１０１に何らかのキーワードを入力して「検索」ボタン１０２を指示すると、データ中継転送装置１０にキーワードと、そのキーワードを検索エンジン２０に与える旨のＵＲＬを含んだＨＴＴＰリクエストが送達される（ｓ３）。データ中継転送装置１０は、ブラウザホン５０から受け取ったキーワードを検索エンジン２０に与え、その検索結果として、キーワードを含んだレコードの一覧を受け取る（ｓ４，ｓ５）。
【００２６】
検索エンジン２０からのレコード一覧には、検索エンジン２０に与えたキーワードが記載されているウエブページごとに一つのレコードが作成され、各レコードにはキーワードの記載部分を抜粋するなどして作成された見出し文とそのウエブページを取り寄せる旨のＵＲＬがリンク情報として含まれている。データ中継転送装置１０は、検索エンジン２０から返送されてきたレコード一覧のウエブページから冗長構造を省略したり画像データを削除したりするなどしてデータ量を削減するとともに、ブラウザホン５０での閲覧に適した体裁のウエブページに加工する。また、各レコードに設定されているリンク情報を指定ＵＲＬに書き換える（ｓ６，ｓ７）。すなわち、レコードに該当するウエブページをデータ中継転送装置経由で取り寄せる旨のＵＲＬに書き換える。そして、データ量削減後のレコード一覧のウエブページに広告データベースから適宜に選出した広告コンテンツを付加するとともに、キーワードの入力欄と、その入力欄に入力されたキーワードをフォームデータとしてデータ中継転送装置に送付させるための機能とをさらに付加して検索機能付きウエブページに最終的に作成し、これをブラウザホン５０に送付する（ｓ８〜ｓ１０）。
【００２７】
ブラウザホン５０に送達されるレコード一覧を含んだ検索機能付きウエブページ（図３Ｂ：１１０）には、指定ウエブページに相当する画面情報として、検索結果に対応する個々のレコード１１４の一覧画面１１５が含まれているとともに、データ中継転送装置１０にて挿入した広告コンテンツ１１３と、キーワードの入力欄１１１と、キーワードをデータ中継転送装置１０経由で検索エンジンに与えるための指示を受け付ける「検索」ボタン１１２とが含まれている。
【００２８】
データ中継転送装置１０は、レコード一覧１１５を含んだ検索機能付きウエブページ１１０中のあるレコード１１４へのリンクがブラウザホン５０にて指示され、そのレコード１１４の指定ＵＲＬに基づいてアクセスしてくると（ｓ１１：NO→ｓ１２：YES）、指定ＵＲＬに対応する指定ウエブページをそのウエブページを公開しているＷＷＷサーバー３０から取り寄せるとともに（ｓ１３，ｓ１４）、レコード一覧と同様にしてその指定ウエブページのデータ量を削減するとともに、リンク情報を全て指定ＵＲＬに書き換え、指定ウエブページに相当する画面情報に広告コンテンツと検索機能とを付加して検索機能付きウエブページを作成し、これをブラウザホン５０に転送する（ｓ６〜ｓ１０）。
【００２９】
また、レコード一覧の画面情報や指定ウエブページの画面情報を含んだ検索機能付きウエブページ（１１０，１２０）のキーワード入力欄１１１にキーワードを入力して「検索」ボタン１１２を指示すれば、そのキーワードに基づく検索結果（レコード一覧）を含んだ検索機能付きウエブページ１１０が送達される（ｓ１１：YES→ｓ３〜ｓ１０）。もちろん、データ中継転送装置１０により検索機能付きウエブページ（１１０，１２０）に付加された広告コンテンツ１１３へのリンクが指示されて指定ＵＲＬが送付されてくれば、該当のウエブページを取り寄せるとともに、そのウエブページの画面情報を含んだ検索機能付きウエブページ（図３Ｃ：１２０）をブラウザホンに送達する（ｓ１１：NO→ｓ１２：YES、ｓ１３，ｓ１４，ｓ６〜ｓ１０）。もちろん、バナー広告などの広告コンテンツでは、リンク先が設定されている状態のバナー広告の画像が広告主から出稿される場合もあり、その場合、リンク先のＵＲＬは指定ＵＲＬでない。したがって、広告コンテンツへのリンクがブラウザホンにて指示されると、リンク先のウエブページは、広告データ中継転送装置１０を経由せずにリンク先のウエブページがブラウザホンに送達される。
【００３０】
このようにして、ブラウザホン５０がデータ中継転送装置１０経由でネットサーフィンを続ける限り、ブラウザホン５０には検索機能を含んだウエブページ（１１０，１２０）が送達されることになる。それによって、利用者があるサーフィン起点ページを出発点としたネットサーフィンに飽きれば、その飽きた時点で表示しているウエブページ中の検索機能を使って、キーワードをデータ中継転送装置経由で検索エンジン与え、その検索結果のレコード一覧から新たなサーフィン起点ページを探せる。したがって、利用者はネットサーフィンをさらに継続することができ、漫然と無駄に過ごしていた時間を様々な情報を収集する有意義な時間に変えることができる。
【００３１】
＝＝＝ビジネスモデル＝＝＝
本実施例において、サービス提供業者は、検索機能付きウエブページに広告コンテンツを掲載することで、広告収入を得てビジネスモデルを成立させている。上述したように本発明のデータ中継転送装置によれば、利用者にネットサーフィンをより長く継続させることができる。そのため、広告コンテンツの閲覧機会が増え、広告の宣伝効果が増大する。したがって、広告の出稿依頼が増え広告収入の増加が見込まれる。
【００３２】
また、広告の閲覧機会が増えれば、広告コンテンツに設定されているリンクがブラウザホンにて指示される可能性も当然高くなる。サービス提供事業者が広告コンテンツへのクリック実績に応じて広告料を広告主に請求する「クリック従量課金制」を採用していれば、さらに多くの広告収入が期待できる。
【００３３】
なお、上記のサービス実施形態では、不特定多数のサーフィン起点ページを用意していた。一般的に、サーフィン起点ページの管理者が無償でデータ中継転送装置へのリンクを設定してくれるとは思えない。そこで、あるブラウザホン５０があるサーフィン起点ページからのリンク（キーワード送付指示）に基づいてデータ中継転送装置１０経由でネットサーフィンを行う場合、そのサーフィンの過程で、データ中継転送装置側で付加した広告コンテンツへのリンク指示があると、その指示機会ごとにネットサーフィンの出発点となったサーフィン起点ページの管理者に、クリック従量課金に基づく付加料金の一部を還元することとしている。それによって、一般のウエブページ管理者が自身のウエブページをサーフィン起点ページとして提供してくれる可能性が高くなり、より多くのサーフィン起点ページが公開され、より多くのブラウザホン利用者に検索機能連携サービスが提供され、より多くの広告コンテンツが閲覧されてより多くの広告コンテンツに対するリンクが指示されることが予想される。したがって、より多くの広告収入が得られるという好循環が期待できる。
【００３４】
＝＝＝検索キーワードの自動入力＝＝
上記実施例では、データ中継転送装置１０経由でブラウザホン５０に送達されるウエブページには全て検索機能が付帯し、キーワード入力欄１１１は初期状態では空白であった。この入力欄に最初から何らかのキーワードが記入された状態で検索機能付きウエブページ（１１０，１２０）を送付してもよい。そのために、データ中継転送装置１０に多数のキーワードを記憶したデータベース（キーワード集）を用意しておき、ブラウザホン５０に検索機能付きウエブページ（１１０，１２０）を送付する機会ごとにキーワード集から適宜なキーワードを選出し、それをキーワード入力欄１１１に入力しておいてもよい。キーワードの選出に当たっては、ランダムで選出してもよいし、選出する順番を決めておいてもよい。なお、サーフィン起点ページ１００のキーワード入力欄１０１にもキーワードを記入しておいてもよい。ブラウザホン５０におけるネットサーフィンが専ら「暇つぶし」であることを考えると、このように最初からキーワードをその入力欄に入力しておくことで、利用者は、キーワードの入力操作を省略することができ、文字入力操作に煩わしさを感じず、ネットサーフィンの継続意欲が湧く。
【００３５】
キーワード入力欄１１１に自動的に入力するキーワードが複数あってもよい。データ中継転送装置１０は、ブラウザホン５０がアクセスしてくる機会ごとに複数のキーワードを選出し、その選出したキーワードをリストダウンボックスなどによりブラウザホン５０にて選択できる機能を含んだ検索機能付きウエブページを作成してもよい。
【００３６】
＝＝＝レコードの自動選択機能＝＝＝
データ中継転送装置１０は、レコード一覧を含んだ検索機能付きウエブページを送付する際、その一覧中から一つのレコードを選出し、そのレコードに該当する指定ウエブページを取り寄せるための機能を含ませてもよい。図４にその機能を含んだ検索機能付きウエブページの画面構成を示した。このウエブページ１３０には、キーワード入力欄１１１と検索ボタン１１２に加え「？」ボタン１３１がある。このボタン１３１には同じ画面１３０にあるレコード一覧１１５のいずれかのレコード１１４に設定されている指定ＵＲＬが対応付けされており、この「？」ボタン１３１を指示すると、ブラウザホン５０は、その指定ＵＲＬをデータ中継転送装置１０に送付する。それによって、一覧中のレコードを確認して選出する手間や操作を省くことができる。
【００３７】
あるいは「？」ボタンを指示すると、その時点でキーワード記入欄１１１に入力されているキーワードに基づくレコードデータベース検索を行い、その検索結果レポートから一つのレコードを選出し、そのレコードに該当するウエブページをブラウザホンに送付する用にしてもよい。
【００３８】
なお、データ中継転送装置１０側で「？」ボタンに割り当てるレコード自体はキーワード検索によって得られたレコードであり、利用者がまったく興味を示さないレコードとなる可能性は低い。したがって、「？」ボタン１３１への指示を契機としてネットサーフィンがさらに継続される可能性が高い。
【００３９】
＝＝＝取得できない指定ウエブページについて＝＝＝
ＰＣなど、ブラウザホン以外のコンピュータにウエブページを送達することを許可していないＷＷＷサーバーもある。例えば、移動体通信網内に設置されたＷＷＷサーバーでは移動体通信網外へのコンピュータにウエブページを送付しない。このようなＷＷＷサーバーは、ウエブページ送付対象外のコンピュータからのＨＴＴＰリクエストに対し、該当のウエブページを送付できない旨の通知を返送する。そのため、指定ウエブページがこのようなＷＷＷサーバーによって管理されている場合、データ中継転送装置はブラウザホンからの指定ＵＲＬに該当する指定ウエブページを転送できない。
【００４０】
このような場合に対応して、データ中継転送装置は、ブラウザホンからの指定ＵＲＬに基づいて指定ウエブページを取得する際、ＷＷＷサーバーからのＨＴＴＰ応答コードとして「forbidden」などを受け取った場合、指定ＵＲＬに対する応答として、自身では転送不能なウエブページをブラウザホンが直接取り寄せるための指示を含んだ通知を返送してもよい。すなわち、「リダイレクト」と呼ばれる機能を使う。返信情報に転送できなかったウエブページのＵＲＬとそのＵＲＬを参照する旨のＨＴＴＰ応答コードを含ませておく。ブラウザは、このＨＴＴＰ応答コードを解釈すると、データ中継転送装置を経由せずに直接指定ウエブページを取り寄せる。それによって利用者は、指定ウエブページが閲覧できないという不快感を解消できる。
【図面の簡単な説明】
【００４１】
【図１】本発明の実施例におけるデータ中継転送装置を含むネットワーク構成図である。
【図２】上記データ中継転送装置がブラウザホンに提供する検索機能連携サービスに関わる通信手順図である。
【図３】検索機能連携サービスの提供過程で上記ブラウザホンに送達されるウエブページの概略図である。
【図４】上記ブラウザホンに送達される検索機能付きウエブページの一例を示す概略図である。
【符号の説明】
【００４２】
１  インターネット
１０  データ中継転送装置
２０  検索エンジン
３０  ＷＷＷサーバー
５０  ブラウザホン
【図１】
2005182590.tif 000003
【図２】
2005182590.tif 000004
【図３】
2005182590.tif 000005
【図４】
2005182590.tif 000006